(57)【特許請求の範囲】
【請求項１】
本体ケーシングと前面カバーとオープンパネルで筐体を構成する室内機の、上面に備えた吸込口から吸い込んだ室内空気を、前記吸込口の内面側に沿って設けられたフイルタを通過した後、熱交換器で熱交換して下部に備えた吹出口から室内へ吹き出す空気調和機に於いて、
前記フィルタを移動させる移動経路と、この移動経路の途中に配され前記フィルタを清掃するダストボックスとを備え、
前記移動経路は前面カバーとその内部に配置される熱交換器との間にＳ字状に屈曲して形成され、
前記熱交換器は、その前後方向の中間部を頂部として側面視で逆Ｖ字状に配置され、その前面側で前面カバーとの間に、前記移動経路のＳ字状屈曲部が配置され、このＳ字状屈曲部の下方にフイルタから取り除かれたゴミを収納するダストボックスを配置し、
前記ダストボックスはフィルタのゴミを取り除くブラシとダストボックス本体と蓋から構成し、
前記ダストボックス本体の左右の側壁には上下方向に長い突起を設け、一方蓋左右に下方に延出した端部には下部が円形で上部が細長い穴を設け、閉蓋時には前記突起が穴の上部に係合することで開蓋を防止することを特徴とする空気調和機。
【発明の詳細な説明】
【技術分野】
【０００１】
この発明は、空気調和機に関するもので、特にエアフィルタの自動清掃機能を供えた空気調和機に関するものである。
【背景技術】
【０００２】
従来、空気調和機に於いては、送風ファンにより吸い込んだ室内空気を、熱交換器を通過させることにより冷却または加熱して室内へと返流させるが、空気中に浮遊する塵埃が熱交換器を汚染するのを防止するため、熱交換器の前面側にエアフィルタが設けられている。このフィルタに塵埃が付着して目詰まりが生じて通風抵抗が増大すると、熱交換が妨げられるために空気調和機の空調能力が低下すると共に、消費電力が増大する。このような不都合を解消するため、フィルタの自動清掃機能を供えた空気調和機が種々提案されている。
【０００３】
また、フィルタを自動的に清掃する場合、フィルタの全面を清掃ブラシで掃除するため、フィルタと清掃ブラシとの少なくともいずれか一方を移動させる必要がある。フィルタを移動させる方法としては、例えば特許文献１に開示されているように、フィルタを移動させる移送手段と、この移動過程においてフィルタに付着した塵埃を除去する清掃手段とを備えて成り、更に、フィルタを通常使用位置に保持する通常ガイド部と、この通常ガイド部の一端部に連なると共に、湾曲部に対向して接触する回転ブラシを備え、前記フィルタを移動させることによって、通常ガイド部の一端部に位置するフィルタの先端部が、通常ガイド部から湾曲部でＵ字状に折返されて前記ブラシによって自動清掃を行うものである。
【先行技術文献】
【特許文献】
【０００４】
【特許文献１】特許４１７５４０９号公報
【発明の概要】
【発明が解決しようとする課題】
【０００５】
この従来例の空気調和機ではフィルタの移動経路がＵ字状に形成され、フイルタの移動を折り返えして行う構造であるために、空気調和機の奥行き寸法が大きくなり、空気調和機のコンパクト化の妨げとなるものであった。
また、湾曲部先端のみでブラシと接触しているために、接触面積が小さくなりフイルタに張り付いたゴミを掻き落とす能力が低いために頻繁にフィルタの掃除を行う必要があった。
【課題を解決するための手段】
【０００６】
この発明はこの点に着目し上記欠点を解決する為、特にその構成を、本体ケーシングと前面カバーとオープンパネルで筐体を構成する室内機の、上面に備えた吸込口から吸い込んだ室内空気を、前記吸込口の内面側に沿って設けられたフイルタを通過した後、熱交換器で熱交換して下部に備えた吹出口から室内へ吹き出す空気調和機に於いて、前記フィルタを移動させる移動経路と、この移動経路の途中に配され前記フィルタを清掃するダストボックスとを備え、前記移動経路は前面カバーとその内部に配置される熱交換器との間にＳ字状に屈曲して形成され、前記熱交換器は、その前後方向の中間部を頂部として側面視で逆Ｖ字状に配置され、その前面側で前面カバーとの間に、前記移動経路のＳ字状屈曲部が配置され、このＳ字状屈曲部の下方にフイルタから取り除かれたゴミを収納するダストボックスを配置し、前記ダストボックスはフィルタのゴミを取り除くブラシとダストボックス本体と蓋から構成し、前記ダストボックス本体の左右の側壁には上下方向に長い突起を設け、一方蓋左右に下方に延出した端部には下部が円形で上部が細長い穴を設け、閉蓋時には前記突起が穴の上部に係合することで開蓋を防止するようにしたものである。
【発明の効果】
【０００７】
この発明によれば、フィルタの自動清掃を行うためのフイルタ移動経路をＳ字状に形成することで、空気調和機の奥行き寸法を小さくコンパクトにすることができた。
また、極めて簡単に蓋の開閉ができると共に、蓋を閉じて前面カバーにセットすれば突起と穴の上部が係合して蓋が勝手に開くようなことはないものである。
【図面の簡単な説明】
【０００８】
【図１】この発明一実施例の斜視図。
【図２】同展開図。
【図３】同断面図。
【図４】同開蓋状態のダストボックス斜視図。
【図５】同中央を省略したダストボックス正面図。
【図６】同フィルタの斜視図。
【図７】同フィルタ回転軸の斜視図。
【図８】同フイルタ押えの斜視図。
【図９】同前面カバーの内側の斜視図。
【発明を実施するための形態】
【０００９】
次に、この発明の空気調和機の実施の形態について、図面を基に説明する。１はセパレート式空気調和機の室内機で、本体ケーシング２と前面カバー３とオープンパネル４で筐体を形成し、前記前面カバー３の更に前面に位置する前記オープンパネル４上部左右に設けた取付軸５を支点として前面カバー３前方へ開閉自在に取付られる。前記前面カバー３上面には横長格子状の吸込口６を備え、前記前面カバー３下方から底面には斜め前方に温度調節された空気を吹き出す横長の吹出口７を設け、吸込口６から吹出口７の間に送風経路８を形成している。この送風経路８の前記吸込口６内側には横長のフィンチューブ式の熱交換器９を、その前後方向の中間部を頂部として側面視で逆Ｖ字状に配置されている。また前記熱交換器９は本体ケーシング２に対向する後側熱交換器９ａと前面カバー３に対向する前側熱交換器９ｂを形成し、この熱交換器９の下方には横長のクロスフローファンから成る送風ファン１０を配置している。
【００１０】
前記吹出口７には運転時に上下方向の吹出風の風向を調整し、停止時には自動的に吹出口７を閉じる上下風向板７ａと左右方向の吹出風の風向を調整する左右風向板７ｂを設けている。
前記吸込口６の内側には、空気中に浮遊する塵埃が前記室内熱交換器９を汚染するのを防止するために樹脂製網から形成される左右一対のフイルタ１１が設けられている。
前記前面カバー３とオープンパネル４の間には、空間３ａが設けられダストボックス１２を着脱自在に取り付けられるように、前記空間３ａの左側壁３ｂには上下に長い左長穴３ｃを、右側壁３ｄにも同様に右長穴３ｅを設けている。
前記ダストボックス１２は、内部に集められたゴミを貯蔵するダストボックス本体１２ａと、前面から上面を覆う蓋１２ｂと、フイルタ１１に張り付いたゴミを掻き落とすブラシ１２ｃで構成し、前記蓋１２ｂの端部にはブラシ１２ｃに絡みついたゴミを落とす櫛部１２ｄを設けている。
前記フィルタ１１は吸込口６からオープンパネル４の内側の左右及び中央に形成された溝部１３に沿って移動経路１４を移動する。
【００１１】
１５は回転によりフィルタ１１を移動させるフイルタ回転軸で、円柱の中央と左右にフィルタ１１の縦枠１１ａに係合する突起１５ａと、右端に駆動部１６と係合する歯車部１５ｂを備えている。前記駆動部１６は前記前面カバー３の右側壁３ｄの内側に取り付けられ、フイルタ回転軸１５とブラシ１２ｃをそれぞれ回転する２個のステップモータ１６ａと、このモータ１６ａの回転を伝達する多数の歯車を備えている。
【００１２】
前記吸込口６は縦桟６ａと横桟６ｂによって格子状に多数の横長穴６ｃを形成し、前記縦桟６ａの内側にはフィルタ１１側にレール状凸部６ｄを設け、フィルタ１１移動時にフィルタ１１の横枠１１ｂや横桟１１ｅが吸込口６の横桟６ｂに引っかかってフィルタ１１の移動を妨げない様にするものであり、フィルタ１１の縦桟１１ｄとレール状凸部６ｄを対向する位置関係で、且つレール状凸部６ｄの厚さを前側に近いほど厚くすることで、フィルタ１１が上溝部１３ａ側からＳ字状屈曲部１４ａ側へよりスムーズに移動できる様に配慮している。
【００１３】
前記フィルタ１１は前記左右の片面を凹凸状に形成した前記縦枠１１ａと上下の横枠１１ｂで外枠１１ｃを形成し、この外枠内を２本の縦桟１１ｄと２本の横桟１１ｅで区画した中に柔軟な薄網１１ｆを一体成型して作られる。また、フイルタ１１は通常状態では吸込口６内側の上溝部１３ａ側に位置し、フィルタ清掃を開始するとフィルタ回転軸１５とブラシ１２ｃが回転し、フイルタ１１が下溝部１３ｂ側に移動しながらブラシ１２ｃによってフィルタ１１表面に堆積したゴミが剥ぎ取られダストボックス本体１２ａ内に蓄えられるものであり、前記移動経路１４の上溝部１３ａ側と下溝部１３ｂ側の間をＳ字状に屈曲して（前記Ｓ字状屈曲部１４ａ）ブラシ１２ｃとフイルタ回転軸１５を設けることで室内機１の奥行き寸法を小さくすることができ、コンパクト化をすることができるものである。また、Ｓ字状屈曲部１４ａにてブラシ１２ｃとフィルタ１１の接触をブラシ１２ｃの外周の１／４以上とすることで、ブラシ１２ｃとフィルタ１１の接触面積を大きく取ることができ効率的にゴミを掻き落とすことができるものである。
【００１４】
１７はフイルタ押えで、前記フィルタ回転軸１５と下溝部１３ｂの前方に設けられ、フィルタ回転軸１５との間にフイルタ１１を挟んで、フィルタ回転軸１５の回転によってフィルタ１１のＳ字状屈曲部１４ａでの移動がスムーズに行われるようにするものであり、左右側端に一対備えた回動軸１７ａによって前記前面カバー３に回動自在に取り付けられる。
【００１５】
１８は前記熱交換器９の前側で発生する結露水を受ける前部ドレンパンで、前記吹出口７の上面の壁と一体に形成している。１９は前記熱交換器９の背面側で発生する結露水を受ける後部ドレンパンで、前記本体ケーシング２と一体に形成している。２０は内部に制御基板（図示せず）等の電子部品を収納する電装ボックスで、前記本体ケーシング２の右前方に取り付けられている。２１は表示部で、運転ランプやタイマランプ等のランプ類（図示せず）によって運転状態を表示するものである。
【００１６】
前記ダストボックス本体１２ａの左右の側壁１２ｅには上下方向に長い長丸状突起１２ｆを設け、一方蓋１２ｂ左右に下方に延出した端部１２ｇには下部が円形で上部が細長い穴１２ｈを設け、閉蓋時には前記突起１２ｆが穴１２ｈの上部に係合することで開蓋を防止するものであり、ダストボックス本体１２ａから蓋１２ｂを上方に引き上げて、突起１２ｆが穴１２ｈの円形の下部に達すれば、穴１２ｈ下部を中心に蓋１２ｂを回動して開くことができ、ダストボックス本体１２ａ内に集められたゴミを捨てることができる。蓋１２ｂを閉じるにはこの逆をすれば良く、極めて簡単に蓋の開閉ができると共に、蓋１２ｂを閉じて前面カバー３にセットすれば突起１２ｆと穴１２ｈの上部が係合して蓋１２ｂが勝手に開くようなことはないものである。
【００１７】
また、前記ダストボックス本体１２ａの左の側壁１２ｅ中央には縦長板状の突起１２ｉを設け、右の側壁１２ｅに突出し左右方向に摺動自在のスライドレバー１２ｊを設けている。前記前面カバー３の空間３ａへダストボックス１２を取付け手順について説明すれば、ダストボックス本体１２ａに蓋１２ｂがセットされていることを確認後、前記左の側壁１２ｅの突起１２ｉを前面カバー３の長穴３ｃに挿入し、右の側壁１２ｅのスライドレバー１２ｊを前面カバー３ａの係止爪３ｅに係止すればブラシ１２ｃ右端に備えたブラシ歯車１２ｋが駆動部１６の歯車１６ｂと噛み合い取付が完了する。また、取外しは前記の取付手順の逆を行えば良いものであり、極めて簡単にダストボックス１２の着脱をすることができるものである。
【００１８】
また、前記フィルタ１１の着脱について説明すれば、前記オープンパネル４の下部を手前に引けば前面カバー３への係止が外れ取付軸５を中心に回転すればダストボックス１２が現れる、これを前記の手順で取り外せば、Ｓ字状屈曲部１４ａの部分に左右一対のフィルタ押え１７が現れ、このフィル押え１７の回転軸１７ａを中心にフィルタ押え１７を手前に引けば、フィルタ１１の先端が開放されるのでフィルタ１１を引き抜くことができるものである。もちろん、これとは逆の手順を行えば、通り外したフイルタ１１を簡単にセットすることができるものであり、特に上溝部１３ａ側への挿入はフイルタ回転軸１５の突起１５ａにフィルタ１１の縦桟１１ｄ位置を合わせて行うことができるので、フイルタ１１の位置がずれたり、曲がったりして正常にセットできないような事を防止している。
【００１９】
フィルタ１１の自動掃除運転は、室内機１の運転終了後や運転前に毎回行う方法や、室内機の積算運転時間に応じて定期的に行うものであり、ダストボックス本体１２ａに溜まったゴミ捨ては室内に漂う塵埃の量やダストボックス本体１２ａの容量等の条件によって異なり１年１回から１０年１回適宜行われるものである。
【００２０】
室内機１の運転終了後に行われた場合の自動掃除運転について説明すれば、まず室内機１の運転が終了し冷凍サイクルが停止すると共に送風ファン１０が停止すれば、駆動部１６の２つのモータ１６ａが回転を開始し、この回転がフイルタ回転軸１５とブラシ１２ｃに伝わり、このフイルタ回転軸１５の回転でフイルタ回転軸１５とフイルタ押え１７の間に挟まれた部分のフイルタ１１からＳ字状屈曲部１４ａを通過しながらブラシ１２ｃにてフィルタ１１表面に付着したゴミを剥ぎ取ってダストボックス本体１２ａ導き、フィルタ１１全体がＳ字状屈曲部１４ａを通過して下溝部１３ｂ側へ移動後、モータ１６ａの逆回転により、もう１回フイルタ１１の表面を掃除しながら上溝部１３ａ側の通常位置へ戻って自動掃除を終了する。
【００２１】
このように、フイルタ１１の移動経路１４をＳ字状に形成することで、空気調和機の奥行き寸法を小さくコンパクトにすることができる。
また、Ｓ字状屈曲部１４ａの下方にフイルタ１１から取り除かれたゴミを収納するダストボックス１２を設けることで、フィルタ１１のに付着したゴミを重力方向に効率よく集めることができるものである。
また、Ｓ字状屈曲部１４ａにてブラシ１２ｃとフィルタ１１の接触をブラシ１２ｃの外周の１／４以上とすることで、ブラシ１２ｃとフィルタ１１の接触面積を大きく取ることができ効率的にゴミを掻き落とすことができるようになるものである。
【符号の説明】
【００２２】
１    室内機
３    前面カバー
４    オープンパネル
６    吸込口
７    吹出口
９    熱交換器
１１    フィルタ
１２    ダストボックス
１２ａ  ダストボックス本体
１２ｂ  蓋
１２ｃ  ブラシ
１３    溝部
１４    移動経路
１４ａ  Ｓ字状屈曲部
１５    フィルタ回転軸
１７    フィルタ押え
【図１】
0005498343.tif 000002
【図２】
0005498343.tif 000003
【図３】
0005498343.tif 000004
【図４】
0005498343.tif 000005
【図５】
0005498343.tif 000006
【図６】
0005498343.tif 000007
【図７】
0005498343.tif 000008
【図８】
0005498343.tif 000009
【図９】
0005498343.tif 000010